(57)【要約】【課題】カード媒体に備わるパッド部を、カードコネクタに備わるコンタクトに確実に接触させる。【解決手段】カードコネクタ１０１のハウジング１０２は挿入口１０５を有し、この挿入口１０５に連通する収納空間１０６を内部に形成する。挿入口１０５からは、大型カードや小型カードがスライド挿入される。収納空間１０６には、大型カードのパッド部に接触する第１のコンタクト１１１と、小型カードのパッド部に接触する第２のコンタクト１１２とが設けられる。押え部１４３は、収納空間１０６に挿入された大型カードの平面部分に対面する第１の位置と、収納空間１０６に挿入された小型カードの平面部分に対面する第２の位置との間で移動自在となっている。押え部１４３は、元の位置から動くと、トーションバネ１３６によって元の位置に復帰する。【選択図】図２
2012022978.tif 000002
【特許請求の範囲】
【請求項１】
第１のカード媒体及び第２のカード媒体がスライド挿入される挿入口を開口し、前記挿入口に連通する収納空間を内部に形成するハウジングと、
前記収納空間に挿入された前記第１のカード媒体のパッド部に接触する第１のコンタクトと、
前記収納空間に挿入された前記第２のカード媒体のパッド部に接触する第２のコンタクトと、
前記収納空間に挿入された前記第２のカード媒体の平面部分に対面する第１の位置と、前記収納空間に挿入された前記第１のカード媒体の平面部分に対面する第２の位置との間で移動自在の押え部と、
動いた前記押え部を元の位置に復帰させる復帰部と、
を備えるカードコネクタ。
【請求項２】
前記押え部は、スライド移動するカード媒体に滑り接触される接触領域を有し、前記接触領域を前記カード媒体に押されて動く、
請求項１記載のカードコネクタ。
【請求項３】
前記押え部よりも前記挿入口側に位置し、前記挿入口からスライド挿入されるカード媒体の移動軌跡に配置され、前記カード媒体に押されて動くシャッタと、
前記押されたシャッタを元の位置に復帰させるシャッタ復帰部と、
前記シャッタの動きを前記押え部に伝達する伝達機構と、
を備える、請求項１又は２記載のカードコネクタ。
【請求項４】
前記押え部と前記シャッタとを回転自在に連結する連結部であって、前記押え部に設けられ前記押え部と前記シャッタとの回転中心をなす軸部と、前記シャッタに設けられ前記軸部の軸心方向にスライド移動された前記軸部の一方の端部を抜け止めする第１の抜け止め部と、を有する連結部と、
弾性を有し前記押え部から前記シャッタに向けて突出するバネ部と、
前記シャッタに設けられ、前記軸部の一方の端部が前記第１の抜け止め部に抜け止めされていない状態で前記シャッタの外側面に撓んで接している前記バネ部が、前記軸部の一方の端部がスライド移動して前記第１の抜け止め部に抜け止めされることにより入り込むバネ受部と、
を備える、請求項３記載のカードコネクタ。
【請求項５】
前記シャッタは、互いに連なる第１の面と第２の面とを形成し、
前記第１の面に開口し、この開口から導入された前記軸部の他方の端部の前記第２面側への抜け止めをする第２の抜け止め部を備え、
前記第１の抜け止め部は、前記第２の抜け止め部の開口から導入された前記軸部の一方の端部を抜け止めする、
請求項４記載のカードコネクタ。
【請求項６】
前記第１の抜け止め部は、前記第２の面に開口して前記第１の面への抜け止めをし、
前記シャッタは、前記第１の抜け止め部と前記第２の抜け止め部との間で前記第１の面と前記第２の面とに連なって開口し、前記第１の抜け止め部の開口と前記第２の抜け止め部の開口と連なる軸受部を形成する、
請求項５記載のカードコネクタ。
【発明の詳細な説明】
【技術分野】
【０００１】
本発明は、携帯電話機、電話機、ＰＤＡ（ｐｅｒｓｏｎａｌ  ｄｉｇｉｔａｌ  ａｓｓｉｓｔａｎｃｅ）、携帯型オーディオ、ゲーム機、カメラ、プリンタ、情報端末機器等の各種の電子機器に適用され、サイズの異なる複数種のカード媒体を装着できるカードコネクタに関する。
【背景技術】
【０００２】
データを記憶保持するカード媒体を装着するためのカードコネクタを備える各種の電子機器（携帯電話機、電話機、ＰＤＡ（ｐｅｒｓｏｎａｌ  ｄｉｇｉｔａｌ  ａｓｓｉｓｔａｎｃｅ）、携帯型オーディオ、ゲーム機、カメラ、プリンタ、情報端末機器等）が普及している。カード媒体には、例えば、ＣＰＵやメモリ用のＩＣチップを搭載するＩＣカード及びＰＣカード、並びに、ＳＤカード及びＳＩＭカード等があり、種類に応じてサイズが異なっている。そして、種々のカード媒体が普及する中、カードコネクタに対し、低背化や小型化のみならず、複数種のカード媒体を装着できるようにすることが求められてきている。
【０００３】
複数種のカード媒体を装着できるカードコネクタの一例は、特許文献１に記載の、外形が異なる二種類のカードを挿入可能なカードコネクタである。このカードコネクタＣのスロット１０５ａに小型カード１０が挿入されると、小型カード１０がカード付勢バネ２１４により上方に付勢され、一対の段部２１２に挟まれる上方位置に位置付けられる（特許文献１の図４（ａ）参照）。また、特許文献１に記載のカードコネクタＣのスロット１０５ａに大型カード２０が挿入されると、大型カード２０がカード付勢バネ２１４により上方に付勢され（特許文献１の図４（ｂ）参照）、大型カード２０の幅方向の両端に設けられた一対のフランジ部２２の上面が、各々、スライダ２００の両端に設けられた一対の段部に当接する。これにより、大型カード２０は上方に移動せず、下方位置に位置付けられたままになる。
【０００４】
複数種のカード媒体を装着できるカードコネクタの別の一例は、図１２（ａ）〜図１２（ｃ）に示すカード押さえ９０２を備えたカードコネクタ９０１である。図１２（ａ）及び図１２（ｂ）は、従来例のカードコネクタ９０１を開口９０３ａ側から見た模式図である。図１２（ｃ）は、図１２（ａ）のＰ−Ｐ線断面図である。カードコネクタ９０１は、カード押さえ９０２と扁平なハウジング９０３とを備える。ハウジング９０３の一の側面には、開口９０３ａが設けられる。
【０００５】
カード押さえ９０２は、薄い金属板を折り曲げて形成され、平坦部９０４と段部９０５と当接部９０６と突出部９０７とを有し、ハウジング９０３に収納される。平坦部９０４は、ハウジング９０３を構成する第１扁平部９０３ｂや第２扁平部９０３ｃと平行に延びる。段部９０５は、平坦部９０４の両側部のいずれからも、第２扁平部９０３ｃに向けて延びる。当接部９０６は、段部９０５のそれぞれから第２扁平部９０３ｃと平行に、平坦部９０４から離れる方向に延びる。突出部９０７は、当接部９０６のそれぞれの開口９０３ａ側から離れた箇所から、第１扁平部９０３ｂに向けて延びる。このようなカード押さえ９０２は、平坦部９０４と直交する方向に揺動自在であり、板バネ等の弾性部材９０９によって第１扁平部９０３ｂに近づく方向に押されている。
【０００６】
ハウジング９０３の内側の両側部には、台部９０８が、第２扁平部９０３ｃ側に寄せて設けられる。また、ハウジング９０３の内側上面には、シャッタ９１０が設けられる。シャッタ９１０は、カードコネクタ９０１の幅方向に延びる板状の部材である。シャッタ９１０の下方には、小型カード９１１（後述）が進入できる空間が確保される。また、シャッタ９１０は、開口９０３ａから進入する大型カード９１３（後述）に押されて回転し第２扁平部９０３ｃに近づく。
【０００７】
図１２（ａ）及び図１２（ｃ）を参照する。カードコネクタ９０１では、ハウジング９０３の内側下面に、小型カード９１１のパッド部（図示せず）と接触するコンタクト９１２が設けられる。小型カード９１１は、開口９０３ａから導入され、平坦部９０４と段部９０５と第２扁平部９０３ｃとに囲まれた空間に位置付けられる。そして、小型カード９１１は、シャッタ９１０の下方の空間を通過して、パッド部がコンタクト９１２に接触するまで押し込まれる。このとき、シャッタ９１０は、小型カード９１１の上面に接触し、小型カード９１１の浮き上がりを抑える。また、カード押さえ９０２も、小型カード９１１の浮き上がりを抑える。このとき、突出部９０７が第１扁平部９０３ｂに接触すると、カード押さえ９０２はそれ以上動かなくなる。これにより、小型カード９１１は、カード押さえ９０２とハウジング９０３の第２扁平部９０３ｃとに挟まれる。
【０００８】
図１２（ｂ）及び図１２（ｃ）を参照する。カードコネクタ９０１では、ハウジング９０３の内側上面に、大型カード９１３のパッド部（図示せず）と接触するコンタクト９１４が設けられる。大型カード９１３は、開口９０３ａから導入され、平坦部９０４と台部９０８と第１扁平部９０３ｂとに囲まれた空間に位置付けられる。そして、大型カード９１３は、シャッタ９１０を押し、パッド部がコンタクト９１４に接触するまで押し込まれる。カードコネクタ９０１には、シャッタ９１０に連動してカード押さえ９０２を第２扁平部９０３ｃの方向に動かす機構（図示せず）を有しており、このために、カード押さえ９０２は、弾性部材９０９に抗って第１扁平部９０３ｂの方向に移動する。これにより、大型カード９１３は、カード押さえ９０２とハウジング９０３の第１扁平部９０３ｂとに挟まれる。
【先行技術文献】
【特許文献】
【０００９】
【特許文献１】特開２００９−２０５９２６号公報（段落０１６１、０１６２、０１７４、０１７５、図４（ａ）、図４（ｂ）、図６、図８）
【発明の概要】
【発明が解決しようとする課題】
【００１０】
カード媒体は、薄く形成されている。例えば、ＳＤカードは、幅が約２４ｍｍであるのに対し厚さが約２ｍｍである。また、カード媒体の多くの部分は樹脂で作られている。このため、カード媒体が撓んで歪み、その歪みを維持してしまうことがある。このとき、カード媒体に設けられるパッド部が、カードコネクタに設けられるコンタクトから離れて接触できないことがある。
【００１１】
この点、特許文献１に記載のカードコネクタＣでは、大型カード２０が装着されると、カード付勢バネ２１４が大型カード２０の下面の幅方向中央部分を押し上げ、段部２１２が大型カード２０の両側部にあるフランジ部２２を下方に押さえ込む。このため、大型カード２０の歪みが矯正されない。それどころか、大型カード２０は、上側に凸になるように曲がってしまう。
【００１２】
また、図１２（ａ）〜図１２（ｃ）に示すカードコネクタ９０１では、カード押さえ９０２が薄い金属板で形成されていて、カード押さえ９０２は小型カード９１１や大型カード９１３の歪みを矯正しにくい。特に、図１２（ａ）に示すように、段部９０５は、小型カード９１１の歪みの矯正に寄与しない。
【００１３】
本発明は、上記の点を鑑みてなされたものであり、カード媒体に備わるパッド部を、カードコネクタに備わるコンタクトに確実に接触させることを目的とする。
【課題を解決するための手段】
【００１４】
本発明のカードコネクタは、第１のカード媒体及び第２のカード媒体がスライド挿入される挿入口を開口し、前記挿入口に連通する収納空間を内部に形成するハウジングと、前記収納空間に挿入された前記第１のカード媒体のパッド部に接触する第１のコンタクトと、前記収納空間に挿入された前記第２のカード媒体のパッド部に接触する第２のコンタクトと、前記収納空間に挿入された前記第２のカード媒体の平面部分に対面する第１の位置と、前記収納空間に挿入された前記第１のカード媒体の平面部分に対面する第２の位置との間で移動自在の押え部と、動いた前記押え部を元の位置に復帰させる復帰部と、を備える。
【発明の効果】
【００１５】
本発明によれば、カード媒体の歪みが押え部によって矯正され、カード媒体に備わるパッド部を、カードコネクタに備わるコンタクトに確実に接触させることができる。
【図面の簡単な説明】
【００１６】
【図１】（ａ）は、カードコネクタの斜視図である。（ｂ）は、カードコネクタの平面図である。（ｃ）は、カードコネクタの正面図である。
【図２】（ａ）は、カバーが取り外された状態のカードコネクタの斜視図である。（ｂ）は、カバーが取り外された状態のカードコネクタの平面図である。
【図３】（ａ）は、大型カードが挿入された状態のカードコネクタの斜視図である。（ｂ）は、大型カードが挿入された状態のカードコネクタの平面図である。（ｃ）は、大型カードが挿入された状態のカードコネクタの正面図である。
【図４】（ａ）は、小型カードが挿入された状態のカードコネクタの斜視図である。（ｂ）は、小型カードが挿入された状態のカードコネクタの平面図である。（ｃ）は、小型カードが挿入された状態のカードコネクタの正面図である。
【図５】（ａ）は、シャッタを背面側から見た斜視図である。（ｂ）は、シャッタの正面図である。（ｃ）は、シャッタの背面図である。
【図６】（ａ）は、連動板の斜視図である。（ｂ）は、連動板の平面図である。（ｃ）は、連動板の正面図である。（ｄ）は、連動板の右側面図である。
【図７】小型カードが挿入された状態のカードコネクタの右断面図である。
【図８】大型カードが挿入されたときのシャッタ及び連動板の状態を示すカードコネクタの斜視図である。
【図９】大型カードが挿入された状態のカードコネクタの右断面図である。
【図１０】（ａ）は、バネ部がバネ受部に入り込む前の状態の連結部の平面図である。（ｂ）は、バネ部がバネ受部に入り込んだ後の状態の連結部の平面図である。
【図１１】（ａ）は、孔部に軸部が入り込んだ状態の図５（ｃ）のＡ−Ａ線断面図である。（ｂ）は、孔部に軸部が入り込んだ状態の図５（ｃ）のＢ−Ｂ線断面図である。（ｃ）は、孔部に軸部が入り込んだ状態の図５（ｃ）のＣ−Ｃ線断面図である。
【図１２】（ａ）及び（ｂ）は、従来例のカードコネクタを開口側から見た模式図である。（ｃ）は、（ａ）のＰ−Ｐ線断面図である。
【発明を実施するための形態】
【００１７】
実施の一形態を、図１（ａ）、図１（ｂ）、図１（ｃ）ないし図１１に基づいて説明する。説明の便宜上、本実施の形態を第一の実施の形態と呼ぶ。図１（ａ）は、カードコネクタ１０１の斜視図である。図１（ｂ）は、カードコネクタ１０１の平面図である。図１（ｃ）は、カードコネクタ１０１の正面図である。
【００１８】
カードコネクタ１０１は、第１のカード媒体としての幅広の大型カード３０１（図３（ａ）〜図３（ｃ）参照）と第２のカード媒体としての幅狭の小型カード４０１（図４（ａ）〜図４（ｃ）参照）とのいずれも挿入できるものである。カードコネクタ１０１は、ハウジング１０２を備える。ハウジング１０２は、樹脂成形されたボディ１０３にカバー１０４を被せて構成されるもので、平面視略矩形の平坦な箱型形状をなしている。図１（ａ）及び（ｂ）にあらわれているハウジング１０２の一方の平坦部を、第１の平坦部１０２ａと呼ぶ。また、第１の平坦部１０２ａとは反対側に位置するハウジング１０２の他方の平坦部を、第２の平坦部１０２ｂと呼ぶ。説明の都合上、第１の平坦部１０２ａ側を上方とし、第２の平坦部１０２ｂ側を下方とする。
【００１９】
ハウジング１０２の正面側の側面には、挿入口１０５が開口する。ハウジング１０２の内部には、挿入口１０５に連通する収納空間１０６が形成される。大型カード３０１は、挿入口１０５から、上方側（第１の平坦部１０２ａ側）に寄せて、第１の平坦部１０２ａや第２の平坦部１０２ｂに平行に挿入されて押し込まれ、収納空間１０６に収納される。小型カード４０１は、挿入口１０５から、下方側（第２の平坦部１０２ｂ側）に寄せて、第１の平坦部１０２ａや第２の平坦部１０２ｂに平行に挿入されて押し込まれ、収納空間１０６に収納される。
【００２０】
ボディ１０３には、段部１０７が設けられる。段部１０７は、挿入口１０５の下側でその両側部分に位置し、カードコネクタ１０１の正面側から背面側に向けて延びる。それぞれの段部１０７の上方には、ガイド部１０８が形成される。ガイド部１０８は、挿入口１０５の内側に開くコ字形状をなす。
【００２１】
図２（ａ）は、カバー１０４が取り外された状態のカードコネクタ１０１の斜視図である。図２（ｂ）は、カバー１０４が取り外された状態のカードコネクタ１０１の平面図である。
【００２２】
カードコネクタ１０１は、第１のコンタクト１１１と、第２のコンタクト１１２とを備える。第１のコンタクト１１１は、収納空間１０６に挿入された大型カード３０１のパッド部３０２（図３（ａ）及び図３（ｂ）参照）に接触する。第２のコンタクト１１２は、収納空間１０６に挿入された小型カード４０１のパッド部４０２（図４（ａ）及び図４（ｂ）参照）に接触する。第１のコンタクト１１１及び第２のコンタクト１１２は、いずれも、挿入口１０５とは反対側でボディ１０３の上面から立設する後壁部１０３ａに圧入され、カードコネクタ１０１の幅方向（カードコネクタ１０１の右側面から左側面に向かう方向）に複数並ぶ。第１のコンタクト１１１は、後壁部１０３ａから収納空間１０６側に突出し、第１の平坦部１０２ａ（図１（ａ）〜（ｃ）参照）の近傍に位置する。第２のコンタクト１１２は、後壁部１０３ａから収納空間１０６側に突出し、第２の平坦部１０２ｂ（図１（ｃ）参照）の近傍で第１の平坦部１０２ａよりも下方に位置する。
【００２３】
図３（ａ）は、大型カード３０１が挿入された状態のカードコネクタ１０１の斜視図である。図３（ｂ）は、大型カード３０１が挿入された状態のカードコネクタ１０１の平面図である。図３（ｃ）は、大型カード３０１が挿入された状態のカードコネクタ１０１の正面図である。なお、説明のために、図３（ａ）〜図３（ｃ）のいずれにおいても、カバー１０４は省略されている。
【００２４】
大型カード３０１は、板状で、長方形の一の角部に切欠部３０３を形成する五角形形状をなしている。大型カード３０１において切欠部３０３から延びる短辺を、大型カード３０１の先端側と呼ぶ。大型カード３０１の一方の面の先端側には、パッド部３０２が列状に並んでいる。パッド部３０２は、第１のコンタクト１１１に接触し、カードコネクタ１０１を搭載している電子機器（図示せず）との電気信号の通信経路を構成する。このような大型カード３０１の一例は、ＳＤメモリーカード（商品名）である。
【００２５】
大型カード３０１は、パッド部３０２を有する面を上方に向けて挿入口１０５から挿入され、収納空間１０６（図２（ａ）等も参照）に収納される。このとき、大型カード３０１の両縁部３０１ａは、段部１０７に対面し、ガイド部１０８に保持される。大型カード３０１が収納空間１０６に収納されると、パッド部３０２は第１のコンタクト１１１に接触し、切欠部３０３はスライダ１２２（図２（ａ）及び図２（ｂ）に基づいて後述）に接触する。また、収納空間１０６に収納された大型カード３０１の側面には、収納空間１０６の両側部に位置する位置規制バネ１１３が当接する。これにより、収納空間１０６に収納された大型カード３０１は、カードコネクタ１０１の幅方向に動かなくなる。
【００２６】
図４（ａ）は、小型カード４０１が挿入された状態のカードコネクタ１０１の斜視図である。図４（ｂ）は、小型カード４０１が挿入された状態のカードコネクタ１０１の平面図である。図４（ｃ）は、小型カード４０１が挿入された状態のカードコネクタ１０１の正面図である。なお、図４（ａ）〜図４（ｃ）のいずれにおいても、カバー１０４は省略されている。
【００２７】
小型カード４０１は、大型カード３０１と略同じ厚さの板状で、大型カード３０１よりも小さい長方形の一の角部に切欠部４０３を形成する五角形形状をなしている。小型カード４０１において切欠部４０３から延びる短編を、小型カード４０１の先端部と呼ぶ。小型カード４０１の一方の面の先端側には、パッド部４０２が列状に並んでいる。パッド部４０２は、第２のコンタクト１１２（図２（ａ）及び図２（ｂ）参照）に接触し、カードコネクタ１０１を搭載している電子機器（図示せず）との電気信号の通信経路を構成する。このような小型カード４０１の一例は、メモリースティックＤｕｏカード（商品名）である。
【００２８】
小型カード４０１は、パッド部４０２を有する面を下方に向けて挿入口１０５から挿入され、収納空間１０６（図２（ａ）等も参照）に収納される。このとき、小型カード４０１は、段部１０７に挟まれる。小型カード４０１が収納空間１０６に収納されると、パッド部４０２は第２のコンタクト１１２に接触し、切欠部４０３はスライダ１２２（図（ａ）及び図２（ｂ）に基づいて後述）に接触する。また、小型カード４０１は、ボディ１０３の第２の平坦部１０２ｂから切り起こされた板バネ部１０３ｄによって、上方に押し上げられる。
【００２９】
図２（ａ）〜図２（ｃ）を再び参照する。カードコネクタ１０１は、イジェクト機構１２１を備える。イジェクト機構１２１は、収納空間１０６の側部で、後壁部１０３ａの近傍に位置する。イジェクト機構１２１は、スライダ１２２と、スプリング１２３と、カムレバー１２４とを備える。スライダ１２２は、平面視Ｌ字形状をなし、挿入口１０５から後壁部１０３ａに向かう方向にスライド往復自在である。スライダ１２２には、ハート形カム１２５が形成される。ハート形カム１２５の周りには、周状のカム溝１２６が形成される。ハート形カム１２５の一方の端部は、後壁部１０３ａに拘束される。カムレバー１２４の他方の端部は、カム溝１２６に入り込んでカム溝１２６の底面に圧力をもって接している。カム溝１２６の底面は段状になっていて、カムレバー１２４の他方の端部が所定の周回方向にのみ動くようになっている。スプリング１２３は、スライダ１２２を挿入口１０５側に押している。
【００３０】
大型カード３０１や小型カード４０１が挿入口１０５から後壁部１０３ａに向けて収納空間１０６に押し込まれると、大型カード３０１の切欠部３０３や小型カード４０１の切欠部４０３がスライダ１２２に接触し、大型カード３０１や小型カード４０１がスライダ１２２を後壁部１０３ａ側に押し込む。大型カード３０１や小型カード４０１の押し込みが解除されると、スプリング１２３はスライダ１２２を挿入口１０５側に押し戻す。このとき、カムレバー１２４はハート形カム１２５に引っ掛かる。これにより、スライダ１２２は、大型カード３０１や小型カード４０１を挿入口１０５からはみ出させない位置で停止する。この状態で、再び大型カード３０１や小型カード４０１が後壁部１０３ａ側に押し込まれると、カムレバー１２４とハート形カム１２５とが離反する。そして、大型カード３０１や小型カード４０１の押し込みが解除されると、スプリング１２３がスライダ１２２を挿入口１０５側に押す。これにより、スライダ１２２は、大型カード３０１や小型カード４０１を挿入口１０５から排出させる。
【００３１】
スライダ１２２には、大型カード用ハーフロックバネ１２７と小型カード用ハーフロックバネ１２８が取り付けられる。大型カード用ハーフロックバネ１２７は、収納空間１０６に収納された大型カード３０１の側部にある凹部３０４（図３（ａ）及び図３（ｂ）参照）に入り込む。小型カード用ハーフロックバネ１２８は、収納空間１０６に収納された小型カード４０１の側部にある凹部４０４（図４（ａ）及び図４（ｂ）参照）に入り込む。
【００３２】
図５（ａ）は、シャッタ１３１を背面側から見た斜視図である。図５（ｂ）は、シャッタ１３１の正面図である。図５（ｃ）は、シャッタ１３１の背面図である。図２（ａ）、図２（ｂ）、図５（ａ）〜図５（ｃ）を参照し、シャッタ１３１について説明する。カードコネクタ１０１は、シャッタ１３１を備える。シャッタ１３１は、小型カード４０１が第１のコンタクト１１１に接触しないように、挿入口１０５から挿入される小型カード４０１の浮き上がりを抑えるものである。
【００３３】
シャッタ１３１は、収納空間１０６内でカードコネクタ１０１の幅方向に延びる長尺の基部１３２を有する。また、シャッタ１３１は、基部１３２とは平行に延び、シャッタ１３１の両端部から突出する一対のシャッタ軸部１３３を有する。基部１３２とシャッタ軸部１３３とは、軸連結部１３４により連結される。基部１３２と軸連結部１３４とにより、小型カード４０１をスライド挿入させるためのコ字型の通過空間１３５が形成される。
【００３４】
シャッタ軸部１３３は、円柱状をなす。このシャッタ軸部１３３は、それぞれ、ボディ１０３の両側壁に形成される軸受部１０３ｅに回転自在に支持される。軸受部１０３ｅは、カードコネクタ１０１の厚さ方向について、段部１０７と略同じ位置に設けられる。
【００３５】
シャッタ軸部１３３の外周には、シャッタ復帰部としてのトーションバネ１３６が巻き付くように配置される。トーションバネ１３６の一端は、シャッタ１３１に係止される。トーションバネ１３６の他端は、ボディ１０３に係止される。シャッタ１３１は、トーションバネ１３６によって図２（ａ）に示す矢印Ｒの方向に押され、第１の平坦部１０２ａや第２の平坦部１０２ｂ（いずれも図１（ｃ）参照）に直交する方向に向けられる。これにより、シャッタ１３１の基部１３２が挿入口１０５からスライド挿入される大型カード３０１の移動軌跡に配置される。
【００３６】
挿入口１０５から大型カード３０１が挿入されると、シャッタ１３１の基部１３２は、大型カード３０１に押されて矢印Ｒとは逆の方向に回転する。また、大型カード３０１が収納空間１０６から排出されると、トーションバネ１３６は、押されたシャッタ１３１を元の位置に復帰させる。
【００３７】
挿入口１０５から小型カード４０１がスライド挿入されると、小型カード４０１は、段部１０７の間にある空間を通過し、続いてシャッタ１３１に形成される通過空間１３５を通過して、収納空間１０６内に入り込む。このとき、シャッタ１３１の基部１３２には、上方に浮き上がろうとする小型カード４０１の上面（パッド部４０２を有する面とは反対側の面）に接触し、この小型カード４０１の浮き上がりが阻止される。
【００３８】
図６（ａ）は、連動板１４１の斜視図である。図６（ｂ）は、連動板１４１の平面図である。図６（ｃ）は、連動板１４１の正面図である。図６（ｄ）は、連動板１４１の右側面図である。カードコネクタ１０１は、連動板１４１を備える。連動板１４１は、シャッタ１３１に連結され、収納空間１０６内でシャッタ１３１よりも後壁部１０３ａ側に延びる板状の部材である（図２（ａ）参照）。換言すると、シャッタ１３１は、連動板１４１よりも挿入口１０５側に位置している。以下、図２（ａ）、図６（ａ）〜図６（ｃ）に基づいて、連動板１４１について説明する。
【００３９】
連動板１４１は、基部１４２と、押え部１４３と、バネ部１４４と、軸部１４５と、軸保持部１４６とを有する。基部１４２は、カードコネクタ１０１の幅方向を長辺とする略矩形の板状部材である。押え部１４３は、基部１４２におけるカードコネクタ１０１の幅方向の両端部のそれぞれから後壁部１０３ａに向けて延びる棒状の突起である。押え部１４３は、基部１４２の下面よりも下方に突出する。押え部１４３における正面側（後壁部１０３ａ側）の下面には、基部１４２の下面に近づくよう傾斜する接触領域１４７が形成される。
【００４０】
バネ部１４４は、基部１４２におけるカードコネクタ１０１の幅方向の略中央からシャッタ１３１に向けて突出する。このバネ部１４４は、弾性を有する。一例として、連動板１４１の全体を樹脂成形することで、バネ部１４４に弾性を備えることが実現される。別の一例として、基部１４２に板バネを取り付けて、この板バネをバネ部１４４として取り扱うことで、バネ部１４４に弾性を備えることが実現される。
【００４１】
軸部１４５は、軸保持部１４６の軸取付孔１４８（次に述べる）に圧入される円柱状の部材である。軸保持部１４６は、基部１４２におけるシャッタ１３１側の側面から突出する。軸保持部１４６には、軸取付孔１４８が、カードコネクタ１０１の幅方向に貫通している。
【００４２】
図７は、小型カード４０１が挿入された状態のカードコネクタ１０１の右断面図である。この図７に加え、図２（ａ）、図２（ｂ）、図４（ａ）、図５（ａ）〜図５（ｃ）を参照する。このような連動板１４１は、シャッタ１３１の基部１３２であってシャッタ軸部１３３よりも離れた箇所に取り付けられ、基部１３２に対し回転自在となる。このとき、軸部１４５は、押え部１４３とシャッタ１３１との回転中心をなす。そして、連動板１４１は、トーションバネ１３６によって上方側（第１の平坦部１０２ａ側）に持ち上げられる。そして、前述したようにシャッタ１３１がシャッタ軸部１３３を中心に回転すると、これに伴って連動板１４１が上下に動く。
【００４３】
前述したように、シャッタ１３１は第１の平坦部１０２ａや第２の平坦部１０２ｂ（いずれも図１（ｃ）参照）に直交する方向に向けられ、小型カード４０１は、シャッタ１３１に形成される通過空間１３５を通過できる。通過空間１３５を通過した小型カード４０１の先端は、接触領域１４７に滑り接触する。そして、押え部１４３は、接触領域１４７を小型カード４０１に押されて、第１の平坦部１０２ａに近づくよう動く。その結果、押え部１４３は、収納空間１０６に挿入された小型カード４０１の上面に対面する。このときの押え部１４３の位置を、第１の位置Ｐ１と呼ぶ。第１の位置Ｐ１に位置付けられた押え部１４３は、小型カード４０１の上側（第１の平坦部１０２ａ側）への移動を防ぐ。ここで、小型カード４０１に歪みが生じている場合、押え部１４３は、小型カード４０１の上面を押さえつけて小型カード４０１の歪みを矯正する。これにより、パッド部４０２と第２のコンタクト１１２との接触が確実になる。
【００４４】
図８は、大型カード３０１が挿入されたときのシャッタ１３１及び連動板１４１の状態を示すカードコネクタ１０１の斜視図である。図９は、大型カード３０１が挿入された状態のカードコネクタ１０１の右断面図である。なお、説明のために、図８では、カバー１０４及び大型カード３０１は省略されている。
【００４５】
前述したように、トーションバネ１３６によって、シャッタ１３１の基部１３２は挿入口１０５からスライド挿入される大型カード３０１の移動軌跡に配置される。そして、挿入口１０５から大型カード３０１が挿入されると、シャッタ１３１の基部１３２は、大型カード３０１に押されて矢印Ｒ（図２（ａ）も参照）とは逆の矢印Ｒ’の方向に回転する。このようなシャッタ１３１の動きに伴って、連動板１４１の基部１４２は第２の平坦部１０２ｂに近づくように動く。さらに、基部１４２や押え部１４３は、大型カード３０１に押されて第２の平坦部１０２ｂに近づくように動く。その結果、押え部１４３は、収納空間１０６に挿入された大型カード３０１の下面に対面する。このときの押え部１４３の位置を、第２の位置Ｐ２と呼ぶ。第２の位置Ｐ２に位置付けられた押え部１４３は、大型カード３０１の下側（第２の平坦部１０２ｂ側）への移動を防ぐ。ここで、大型カード３０１に歪みが生じている場合、押え部１４３は、大型カード３０１の下面を押さえつけて大型カード３０１の歪みを矯正する。これにより、パッド部３０２と第１のコンタクト１１１との接触が確実になる。
【００４６】
大型カード３０１が収納空間１０６から排出されると、シャッタ１３１は、トーションバネ１３６の弾性復元力により元の位置に戻ろうとする。これに伴い、押え部１４３も、第１の位置Ｐ１に戻ろうとする。このように、トーションバネ１３６は、動いた押え部１４３を元の位置に復帰させる復帰部１４９としても機能する。また、連動板１４１の基部１４２は、シャッタ１３１の動きを押え部１４３に伝達する伝達機構１５０としても機能する。
【００４７】
図１０（ａ）は、バネ部１４４がバネ受部１５４に入り込む前の状態の連結部１５１の平面図である。図１０（ｂ）は、バネ部１４４がバネ受部１５４に入り込んだ後の状態の連結部１５１の平面図である。図１１（ａ）は、孔部１５８に軸部１４５が入り込んだ状態の図５（ｃ）のＡ−Ａ線断面図である。図１１（ｂ）は、孔部１５８に軸部１４５が入り込んだ状態の図５（ｃ）のＢ−Ｂ線断面図である。図１１（ｃ）は、孔部１５８に軸部１４５が入り込んだ状態の図５（ｃ）のＣ−Ｃ線断面図である。図５（ａ）、図１０（ａ）、図１０（ｂ）、図１１（ａ）〜図１１（ｃ）を参照し、連結部１５１について説明する。この連結部１５１は、カードコネクタ１０１に備わるもので、押え部１４３とシャッタ１３１とを回転自在に連結する。
【００４８】
シャッタ１３１の基部１３２は、第１の面１５２と第２の面１５３とを有する。第１の面１５２は、シャッタ軸部１３３とは反対側を向く。第２の面１５３は、第１の面１５２に対して連なり、後壁部１０３ａ側（図２（ａ）等参照）に向く。
【００４９】
シャッタ１３１の基部１３２には、バネ受部１５４が設けられる。バネ受部１５４は、基部１３２の略中央で、第１の面１５２と第２の面１５３とに連なって開口する。このバネ受部１５４には、バネ部１４４が入り込む。
【００５０】
シャッタ１３１の基部１３２には、第１の抜け止め部１５５と軸受部１５６と第２の抜け止め部１５７とが連なった孔部１５８が二つ形成される。これらの孔部１５８は、基部１３２において、バネ受部１５４を挟む箇所に設けられる。
【００５１】
以下、図１０（ａ）の左側に示される一方の孔部１５８について説明する。この孔部１５８は、図５（ａ）において、右側にあらわれている。なお、図１０（ａ）の右側に示される他方の孔部１５８は一方の孔部１５８と同じ構成を有するので、他方の孔部１５８の説明は省略する。
【００５２】
第２の抜け止め部１５７は、図１０（ａ）の左側に示される孔部１５８の一部をなし、この孔部１５８内でバネ受部１５４に最も近い箇所にある。第２の抜け止め部１５７は、第１の面１５２に開口するＵ字孔である。
【００５３】
軸受部１５６は、第１の面１５２と第２の面１５３とに連なって開口する。軸受部１５６は、バネ受部１５４とは反対側に並んで第２の抜け止め部１５７に連なる。
【００５４】
第１の抜け止め部１５５は、第２の面１５３に開口するＵ字孔である。第１の抜け止め部１５５は、バネ受部１５４とは反対側に並んで軸受部１５６に連なる。
【００５５】
孔部１５８は、第１の抜け止め部１５５と軸受部１５６と第２の抜け止め部１５７とが連なって構成され、シャッタ１３１の基部１３２にクランク形状の開口を形成する。そして、連結部１５１は、このような孔部１５８と前述の軸部１４５とにより構成される。
【００５６】
シャッタ１３１と連動板１４１とを連結する場合、まず、軸部１４５及び軸保持部１４６を、軸受部１５６と第２の抜け止め部１５７との内部に入り込ませる（図１０（ａ）参照）。より詳細には、軸部１４５の第１の端部１４５ａ（軸部の他方の端部）を第２の抜け止め部１５７の内部に入り込ませ、軸保持部１４６と軸部１４５の第２の端部１４５ｂ（軸部の一方の端部）とを軸受部１５６の内部に入り込ませる。これにより、軸部１４５の第１の端部１４５ａは、軸部１４５の軸心方向にスライド自在でありながら、第２の抜け止め部１５７によって第２の面１５３側に抜けなくなる。そして、バネ部１４４は、バネ受部１５４に入り込まず、図１０（ａ）に示すように第１の面１５２に接し、バネ部１４４自身の弾性によって撓む。
【００５７】
続いて、軸部１４５及び軸保持部１４６を軸部１４５の軸心方向にスライド移動させて、軸部１４５の第２の端部１４５ｂ（軸部の一方の端部）を第１の抜け止め部１５５の内部に位置付ける（図１０（ｂ）参照）。これにより、軸部１４５の第２の端部１４５ｂは、第１の抜け止め部１５５によって第１の面１５２側に抜けなくなる。また、軸保持部１４６は、軸受部１５６の内部に残る。また、軸部１４５の第１の端部１４５ａ（軸部の一方の端部）の少なくとも一部は、第２の抜け止め部１５７の内部に残る。そして、軸部１４５及び軸保持部１４６を軸部１４５の軸心方向にスライド移動させることにより、バネ部１４４がバネ受部１５４まで移動する。このとき、バネ部１４４は、それ自身の弾性復元力によってバネ受部１５４の内部に入り込む。
【００５８】
以上のようにしてシャッタ１３１と連動板１４１とを連結すると、バネ部１４４は軸部１４５に入り込んで、連動板１４１はシャッタ１３１の基部１３２の長さ方向に動くことがなくなる。また、軸部１４５は、第１の抜け止め部１５５によって第１の面１５２側に抜けなくなる。さらに、軸部１４５は、第２の抜け止め部１５７によって第２の面１５３側にも抜けなくなる。そして、第１の抜け止め部１５５と第２の抜け止め部１５７とによって、軸部１４５は、その軸心の軸周り方向に回転自在に保持される。
【００５９】
カードコネクタ１０１に上記のような連結部１５１を採用することで、シャッタ１３１と連動板１４１との組み付けを簡易にすることができる。また、軸部１４５の両端部（第１の端部１４５ａ及び第２の端部１４５ｂ）を第１の抜け止め部１５５及び第２の抜け止め部１５７の内部に位置付けることで、連動板１４１はシャッタ１３１から外れなくなる。さらに、孔部１５８の構造に、Ｕ字孔形状をなす第１の抜け止め部１５５と、第１の面１５２及び第２の面１５３に開口する軸受部１５６と、Ｕ字孔形状をなす第２の抜け止め部１５７とを連ねた形状を採用することで、アンダーカットせずにシャッタ１３１を成形することができ、カードコネクタ１０１の製造工程を簡易化することができる。
【符号の説明】
【００６０】
１０１    カードコネクタ
１０２    ハウジング
１０５    挿入口
１０６    収納空間
１１１    第１のコンタクト
１１２    第２のコンタクト
１３１    シャッタ
１３６    トーションバネ（シャッタ復帰部）
１４２    基部（伝達機構）
１４３    押え部
１４４    バネ部
１４５    軸部
１４５ａ  軸部の第１の端部（軸部の他方の端部）
１４５ｂ  軸部の第２の端部（軸部の一方の端部）
１４７    接触領域
１４９    復帰部
１５０    伝達機構
１５１    連結部
１５２    第１の面
１５３    第２の面
１５４    バネ受部
１５５    第１の抜け止め部
１５６    軸受部
１５７    第２の抜け止め部
３０１    大型カード（第１のカード）
３０２    大型カードのパッド部
４０１    小型カード（第２のカード）
４０２    小型カードのパッド部
Ｐ１      第１の位置
Ｐ２      第２の位置
【図１】
2012022978.tif 000003
【図２】
2012022978.tif 000004
【図３】
2012022978.tif 000005
【図４】
2012022978.tif 000006
【図５】
2012022978.tif 000007
【図６】
2012022978.tif 000008
【図７】
2012022978.tif 000009
【図８】
2012022978.tif 000010
【図９】
2012022978.tif 000011
【図１０】
2012022978.tif 000012
【図１１】
2012022978.tif 000013
【図１２】
2012022978.tif 000014